(57)【要約】      （修正有）【課題】可撓性配線部材に搭載された回路部品が損傷する虞が少ない表示装置を提供する。【解決手段】表示パネル１０は、画像を表示する。ケース体３０は、表示パネル１０を収容する。可撓性配線部材４０は、表示パネル１０に接続される。回路部品５０は、可撓性配線部材４０に搭載される。ケース体３０は、回路部品５０がケース体３０に当接することを防止する凹部３２ｃを有する。回路部品５０は、ケース体３０の凹部３２ｃに位置する。可撓性配線部材４０は、凹部３２ｃを覆うグランド配線部を有する。可撓性配線部材４０は、少なくとも回路部品５０に対応する個所に設けられ、凹部３２ｃよりも広大なシールド板６０を有する。【選択図】図１
2018106093.tif 000002
【特許請求の範囲】
【請求項１】
画像を表示する表示パネルと、前記表示パネルを収容するケース体と、前記表示パネルに接続される可撓性配線部材と、前記可撓性配線部材に搭載された回路部品と、を備え、
前記ケース体は、前記回路部品が前記ケース体に当接することを防止する凹部を有すると共に、前記回路部品は、前記ケース体の前記凹部に位置することを特徴とする表示装置。
【請求項２】
画像を表示する表示パネルと、前記表示パネルを照明する照明光を発する発光素子と、前記表示パネルを収容するケース体と、前記発光素子に接続される可撓性配線部材と、前記可撓性配線部材に搭載された回路部品と、を備え、
前記ケース体は、前記回路部品が前記ケース体に当接することを防止する凹部を有すると共に、前記回路部品は、前記ケース体の前記凹部に位置することを特徴とする表示装置。
【請求項３】
前記可撓性配線部材は、前記凹部を覆うグランド配線部を有することを特徴とする請求項１または請求項２に記載の表示装置。
【請求項４】
前記可撓性配線部材は、少なくとも前記回路部品に対応する個所に設けられ、前記凹部よりも広大なシールド板を有することを特徴とする請求項１または請求項２に記載の表示装置。
【発明の詳細な説明】
【技術分野】
【０００１】
本発明は、表示パネルに可撓性配線部材が接続された表示装置に関するものである。
【背景技術】
【０００２】
従来より、画像を表示する液晶表示パネルを備えた表示装置が種々提案されており、例えば特許文献１に開示されている。特許文献１に開示された表示装置は、液晶表示パネルと、この液晶表示パネルを透過照明するバックライトとをケース体に収容したものである。液晶表示パネルに可撓性配線部材が接続されており、この可撓性配線部材には、各種の回路部材が搭載されている。
【先行技術文献】
【特許文献】
【０００３】
【特許文献１】特開２００６−３８９００号公報
【発明の概要】
【発明が解決しようとする課題】
【０００４】
しかしながら、可撓性配線部材の一部がケース体の後面に沿うように配設されており、可撓性配線部材に搭載された回路部品がケース体から露出しているため、表示装置が何かに接触したときに、回路部品が損傷する虞があった。また、可撓性配線部材に搭載された回路部品がケース体から露出しているため、回路部品が発する電磁ノイズが表示装置の周辺にある他の機器に悪影響を与える虞があった。
【課題を解決するための手段】
【０００５】
本発明は、画像を表示する表示パネル１０と、前記表示パネル１０を収容するケース体３０と、前記表示パネル１０に接続される可撓性配線部材４０と、前記可撓性配線部材４０に搭載された回路部品５０と、を備え、
前記ケース体３０は、前記回路部品５０が前記ケース体３０に当接することを防止する凹部３２ｃを有すると共に、前記回路部品５０は、前記ケース体３０の前記凹部３２ｃに位置することを特徴とする。
【０００６】
本発明は、画像を表示する表示パネル１０と、前記表示パネル１０を照明する照明光を発する発光素子２１と、前記表示パネル１０を収容するケース体３０と、前記発光素子２１に接続される可撓性配線部材２８と、前記可撓性配線部材２８に搭載された回路部品５０と、を備え、前記ケース体３０は、前記回路部品５０が前記ケース体３０に当接することを防止する凹部３２ｃを有すると共に、前記回路部品５０は、前記ケース体３０の前記凹部３２ｃに位置することを特徴とする。
【０００７】
また、本発明は、前記可撓性配線部材４０，２８は、前記凹部３２ｃを覆うグランド配線部４４，２８ｄを有することを特徴とする。
【０００８】
また、本発明は、前記可撓性配線部材４０，２８は、少なくとも前記回路部品５０に対応する個所に設けられ、前記凹部３２ｃよりも広大なシールド板６０を有することを特徴とする。
【発明の効果】
【０００９】
可撓性配線部材に搭載された回路部品が、ケース体の凹部に位置しているため、回路部品が損傷する虞が少ない。
【図面の簡単な説明】
【００１０】
【図１】本発明の第一実施形態を示す断面図。
【図２】同上実施形態を示すブロック図。
【図３】同上実施形態を示す要部拡大断面図。
【図４】同上実施形態を示す要部拡大図。
【図５】本発明の第二実施形態を示す断面図。
【図６】同上実施形態を示す要部拡大断面図。
【図７】本発明の他の実施形態を示す要部拡大断面図。
【発明を実施するための形態】
【００１１】
以下、添付図面に基づいて、本発明を液晶表示装置に適用した一実施形態を説明する。図１乃至図４は第一実施形態を示すものである。液晶表示装置は、液晶表示パネル（表示パネル）１０，バックライト２０，ケース体３０，可撓性配線部材４０等を備えている。
【００１２】
液晶表示パネル１０は、透明電極が形成された一対のガラス基板１１に液晶を封入したＴＦＴ型液晶パネルの前後両面に偏光板（図示しない）を貼着したものであり、車両速度，エンジン回転数等の車両情報が画像で表示される。液晶表示パネル１０には、可撓性配線部材４０が接続されている。
【００１３】
バックライト２０は、発光素子２１，配線板２２，導光板２３，光反射シート２４，光拡散シート２５からなるものである。バックライト２０は、液晶表示パネル１０の後側に配設されており、液晶表示パネル１０を透過照明する。発光素子２１は、白色発光する発光ダイオードからなり、配線板２２に搭載されている。発光素子２１は、導光板２３の側端面２３ａに照明光を照射し、その照明光は、導光板２３によって液晶表示パネル１０の後面側に導かれる。
【００１４】
導光板２３は、アクリル等の透光性樹脂からなるものであり、平板形状になっている。導光板２３は、液晶表示パネル１０の後側に配設されており、液晶表示パネル１０と平行になっている。光反射シート２４は、導光板２３の後面に配設されており、発光素子２１が発した照明光を前方に反射させる。光拡散シート２５は、導光板２３の前面に配設されており、導光板２３の前面から出射した照明光を拡散させる。
【００１５】
ケース体３０は、アルミニウム，ステンレス等の金属からなるものであり、前ケース３１及び後ケース３２を有している。前ケース３１は、前面部３１ｂ及び側面部３１ｃからなり、前面部３１ｂには、液晶表示パネル１０の画面を視認するための開口３１ａが形成されている。後ケース３２は、側壁部３２ａ及び底壁部３２ｂを有する有底筺体である。後ケース３２の後面３２ｄには、凹部３２ｃが形成されており、この凹部３２ｃには、後述する回路部品５０が位置している。後ケース３２の底壁部３２ｂは、所定厚さＴ１を有しているが、凹部３２ｃでは所定厚さＴ１よりも薄くなっている。
【００１６】
可撓性配線部材４０は、液晶表示パネル１０に接続されている。可撓性配線部材４０の一部は、後ケース３２の底壁部３２ｂの後面３２ｄに沿うように、両面粘着テープにより貼着されている。可撓性配線部材４０には、各種の回路部品５０が搭載されている。可撓性配線部材４０の一端４０ａは、液晶表示パネル１０に接続されており、可撓性配線部材４０の他端４０ｂは、図示しない回路基板に接続されている。可撓性配線部材４０には、金属からなるシールド板６０が貼着されている。
【００１７】
図２は、液晶表示装置の電気的構成を示すブロック図である。マイコン８０は、ＣＰＵ８１，不揮発性メモリ８２，揮発性メモリ８３を有している。不揮発性メモリ８２は、例えばフラッシュメモリからなるものであり、揮発性メモリ８３は、例えばＳＤＲＡＭ（Synchronous Dynamic Random Access Memory）からなるものである。
【００１８】
速度センサ１０１は、車両速度を検出し、マイコン８０に速度データを出力する。回転センサ１０２は、エンジンの回転数を検出し、マイコン８０に回転数データを出力する。マイコン８０は、不揮発性メモリ８２に格納されている所定のプログラムに基づいて、表示コントローラ７０を制御すると共に、発光素子２１を駆動する。表示コントローラ７０は、マイコン８０から出力された制御信号に基づいて、液晶表示パネル１０に画像を表示させる。
【００１９】
図３は、凹部３２ｃの近傍の要部拡大図である。可撓性配線部材４０は、基材４１，配線部４２，絶縁層４３，グランド配線部４４，絶縁層４５を有している。可撓性配線部材４０の基材４１は、ポリイミド等の絶縁材料からなるベースフィルムである。可撓性配線部材４０の配線部４２は、銅箔等の導電性材料からなるものであり、基材４１の前面に形成されている。
【００２０】
可撓性配線部材４０の絶縁層４３は、ポリイミド等の絶縁材料からなるものであり、配線部４２の前面に形成されている。可撓性配線部材４０のグランド配線部４４は、銅箔等の導電性材料からなるものであり、基材４１の後面に形成されている。可撓性配線部材４０の絶縁層４５は、ポリイミド等の絶縁材料からなるものであり、グランド配線部４４の後面に形成されている。
【００２１】
回路部品５０は、ダイオード，抵抗，コンデンサ，トランジスタ，インダクタ等のコンポーネントであり、可撓性配線部材４０に搭載されている。回路部品５０は、可撓性配線部材４０の配線部４２に導通されている。回路部品５０は、底壁部３２ｂの凹部３２ｃに位置しており、回路部品５０が底壁部３２ｂに当接することがない。
【００２２】
シールド板６０は、アルミニウム等の金属からなるものであり、矩形の平板形状になっている。シールド板６０は、可撓性配線部材４０に貼着されており、可撓性配線部材４０を補強する補強部材としても作用する。シールド板６０の横幅Ｗ１は、凹部３２ｃの横幅Ｗ２よりも大きくなっており、且つ、シールド板６０の縦幅Ｗ３は、凹部３２ｃの縦幅Ｗ４よりも大きくなっている（図４参照）。
【００２３】
第一実施形態は、画像を表示する液晶表示パネル（表示パネル）１０と、液晶表示パネル（表示パネル）１０を収容するケース体３０と、液晶表示パネル（表示パネル）１０に接続される可撓性配線部材４０と、可撓性配線部材４０に搭載された回路部品５０と、を備え、ケース体３０は、回路部品５０がケース体３０に当接することを防止する凹部３２ｃを有すると共に、回路部品５０は、ケース体３０の凹部３２ｃに位置するものであり、回路部品５０が損傷する虞が少ない。
【００２４】
また、可撓性配線部材４０は、凹部３２ｃを覆うグランド配線部４４を有するものであり、回路部品５０が発する電磁ノイズの一部を遮ることができ、表示装置の周辺にある他の機器に電磁ノイズを与える虞が少ない。
【００２５】
図５及び図６は第二実施形態を示すものである。液晶表示装置は、液晶表示パネル（表示パネル）１０，バックライト２０，ケース体３０，可撓性配線部材４０等を備えている。
【００２６】
液晶表示パネル１０は、透明電極が形成された一対のガラス基板１１に液晶を封入したＴＦＴ型液晶パネルの前後両面に偏光板（図示しない）を貼着したものであり、車両速度，エンジン回転数等の車両情報が画像で表示される。液晶表示パネル１０には、可撓性配線部材４０が接続されている。
【００２７】
バックライト２０は、発光素子２１，可撓性配線部材２８，導光板２３，光反射シート２４，光拡散シート２５からなるものである。バックライト２０は、液晶表示パネル１０の後側に配設されており、液晶表示パネル１０を透過照明する。発光素子２１は、白色発光する発光ダイオードからなり、可撓性配線部材２８に搭載されている。発光素子２１は、導光板２３の側端面２３ａに照明光を照射し、その照明光は、導光板２３によって液晶表示パネル１０の後面側に導かれる。
【００２８】
導光板２３は、アクリル等の透光性樹脂からなるものであり、平板形状になっている。導光板２３は、液晶表示パネル１０の後側に配設されており、液晶表示パネル１０と平行になっている。光反射シート２４は、導光板２３の後面に配設されており、発光素子２１が発した照明光を前方に反射させる。光拡散シート２５は、導光板２３の前面に配設されており、導光板２３の前面から出射した照明光を拡散させる。
【００２９】
可撓性配線部材２８の一部は、後ケース３２の底壁部３２ｂの後面３２ｄに沿うように、両面粘着テープにより貼着されている。可撓性配線部材２８には、各種の回路部品５０が搭載されている。可撓性配線部材２８には、金属からなるシールド板６０が貼着されている。
【００３０】
ケース体３０は、アルミニウム，ステンレス等の金属からなるものであり、前ケース３１及び後ケース３２を有している。前ケース３１は、前面部３１ｂ及び側面部３１ｃからなり、前面部３１ｂには、液晶表示パネル１０の画面を視認するための開口３１ａが形成されている。後ケース３２は、側壁部３２ａ及び底壁部３２ｂを有する有底筺体である。後ケース３２の後面３２ｄには、凹部３２ｃが形成されており、この凹部３２ｃには、後述する回路部品５０が位置している。可撓性配線部材４０は、液晶表示パネル１０に接続されている。
【００３１】
図６は、凹部３２ｃの近傍の要部拡大図である。可撓性配線部材２８は、基材２８ａ，配線部２８ｂ，絶縁層２８ｃ，グランド配線部２８ｄ，絶縁層２８ｅを有している。可撓性配線部材２８の基材２８ａは、ポリイミド等の絶縁材料からなるベースフィルムである。可撓性配線部材２８の配線部２８ｂは、銅箔等の導電性材料からなるものであり、基材２８ａの前面に形成されている。
【００３２】
可撓性配線部材２８の絶縁層２８ｃは、ポリイミド等の絶縁材料からなるものであり、配線部２８ｂの前面に形成されている。可撓性配線部材２８のグランド配線部２８ｄは、銅箔等の導電性材料からなるものであり、基材２８ａの後面に形成されている。可撓性配線部材２８の絶縁層２８ｅは、ポリイミド等の絶縁材料からなるものであり、グランド配線部２８ｄの後面に形成されている。
【００３３】
回路部品５０は、ダイオード，抵抗，コンデンサ，トランジスタ，インダクタ等のコンポーネントであり、可撓性配線部材２８に搭載されている。回路部品５０は、可撓性配線部材２８の配線部２８ｂに導通されている。回路部品５０は、底壁部３２ｂの凹部３２ｃに位置しており、回路部品５０が底壁部３２ｂに当接することがない。
【００３４】
シールド板６０は、アルミニウム等の金属からなるものであり、矩形の平板形状になっている。シールド板６０は、可撓性配線部材２８に貼着されており、可撓性配線部材２８を補強する補強部材としても作用する。
【００３５】
第二実施形態は、画像を表示する液晶表示パネル（表示パネル）１０と、液晶表示パネル（表示パネル）を照明する照明光を発する発光素子２１と、液晶表示パネル（表示パネル）１０を収容するケース体３０と、発光素子２１に接続される可撓性配線部材２８と、可撓性配線部材２８に搭載された回路部品５０と、を備え、ケース体３０は、回路部品５０がケース体３０に当接することを防止する凹部３２ｃを有すると共に、回路部品５０は、ケース体３０の凹部３２ｃに位置するものであり、回路部品５０が損傷する虞が少ない。
【００３６】
また、可撓性配線部材２８は、凹部３２ｃを覆うグランド配線部２８ｄを有するものであり、回路部品５０が発する電磁ノイズの一部を遮ることができ、表示装置の周辺にある他の機器に電磁ノイズを与える虞が少ない。
【００３７】
なお、本発明は、第一，第二実施形態に限定されるものではなく、種々の変形が可能である。例えば、第一実施形態は、シールド板６０を可撓性配線部材４０に貼着したものであったが、図７に示す他の実施形態のように、底壁部３２ｂに加締め部３２ｋを形成して、シールド板６０を底壁部３２ｂに加締めることにより、シールド板６０をケース体３０に導通させても良く、更なる電磁遮蔽効果を得ることができる。
【００３８】
また、第一実施形態では、凹部３２ｃでの底壁部３２ｂの厚さが、所定厚さＴ１よりも薄くなっているが、図７に示す他の実施形態のように、底壁部３２ｂの厚さを所定厚さＨ２で一定にしても良い。また、第一実施形態では、表示パネルが液晶表示パネル１０であったが、例えば、有機ＥＬ表示パネルであっても良い。
【符号の説明】
【００３９】
１０    液晶表示パネル（表示パネル）
２０    バックライト
２１    発光素子
２８    可撓性配線部材
２８ｄ  グランド配線部
３０    ケース体
３２ｃ  凹部
４０    可撓性配線部材
４４    グランド配線部
５０    回路部品
６０    シールド板
【図１】
2018106093.tif 000003
【図２】
2018106093.tif 000004
【図３】
2018106093.tif 000005
【図４】
2018106093.tif 000006
【図５】
2018106093.tif 000007
【図６】
2018106093.tif 000008
【図７】
2018106093.tif 000009